(57)【要約】【課題】  大幅な性能の低下を来すことがなく、安価な多列型Ｘ線ＣＴ装置を提供すること。【解決手段】  被検体８を中心に回転する回転盤と、被検体８へ向けてＸ線を照射するＸ線管球１と、被検体８を挟んでＸ線管球１と対向し被検体８を透過したＸ線を検出するＸ線検出器ユニット２と、Ｘ線検出器ユニット２からの出力信号を取り出す回転ユニット１０と、被検体８を載置する寝台ユニット９と、寝台ユニット９に搭載した被検体８の全周方向にＸ線管球１からＸ線を照射して計測されるＸ線投影データに基づいて被検体８の断層像を作成して断層像を画像表示装置に表示するＸ線ＣＴ装置において，多列型Ｘ線検出器ユニット２を構成する多列型Ｘ線検出器ブロック１４の体軸方向データ出力列の数を、多列型Ｘ線検出器ユニット２の中心位置より外側に向かって所定距離のデータ出力列数を密に、中心位置より外側に向かって所定距離から外側に位置するデータ出力列数を粗に構成する。【選択図】  図３
2009089867.tif 000002
【特許請求の範囲】
【請求項１】
中央に開口部を有し被検体を中心に回転する回転盤と、前記回転盤に設置され前記被検体へ向けてＸ線を照射するＸ線管球と、前記被検体を挟んで前記Ｘ線管球と対向するように前記回転盤に設置され前記被検体を透過したＸ線を検出する前記被検体の体軸方向と直交する方向に配列される多チャネル型かつ前記被検体の体軸方向に配列される多列型のＸ線検出器ユニットとを備え、前記回転盤を回転しながら前記多列型Ｘ線検出器ユニットからの出力信号を取り出すことのできる回転ユニットと、
前記回転盤中央の開口部に設置し、前記被検体を載置する寝台ユニットと、該寝台ユニットに搭載した前記被検体の全周方向にＸ線管球からＸ線を照射して計測されるＸ線投影データに基づいて前記被検体の断層像を作成して断層像を画像表示装置に表示するＸ線ＣＴ装置において，
前記多列型Ｘ線検出器ユニットを構成する多列型Ｘ線検出器ブロックの体軸方向データ出力列の数を、前記多列型Ｘ線検出器ユニットのチャンネル配列方向における中心位置より端部側に向かって所定距離のデータ出力列数を密に、前記中心位置より端部側に向かって所定距離から端部側に位置するデータ出力列数を粗に構成したことを特徴とするＸ線ＣＴ装置。
【請求項２】
前記多列型Ｘ線検出器ユニットのチャンネル配列方向における中心位置より端部側に向かって形成される前記データ出力列数の密粗は，
前記端部側に向かって所定距離のデータ出力列数を構成する検出器ブロックと、前記中心位置より端部側に向かって所定距離から端部側に位置するデータ出力列数を構成する検出器ブロックとを、異なる２種類の多列型Ｘ線検出器ブロックを組み合わせて構成したものである請求項１に記載のＸ線ＣＴ装置。
【請求項３】
前記多列型Ｘ線検出器ユニットを構成する多列型Ｘ線検出器ブロックの体軸方向データ出力列の数を、前記多列型Ｘ線検出器ユニットのチャンネル方向における中心位置より端部側に向かって第１の距離までのデータ出力列数を第１の列数に、前記中心位置より端部側に向かって第１の距離から第２の距離までの位置のデータ出力列数を第２の列数に、前記中心位置より端部側に向かって第２の距離から第３の距離までの位置のデータ出力列数を第３の列数にし、前記第１の列数と、前記第２の列数と、前記第３の列数との関係が
第１の列数  ＞  第２の列数  ＞  第３の列数
の関係になるように構成したことを特徴とする請求項１に記載のＸ線ＣＴ装置。
【請求項４】
前記第１の列数と、前記第２の列数と、前記第３の列数とは，
前記多列型Ｘ線検出器ユニットの中心位置より端部側に向かって前記第１の距離のデータ出力列数を構成する検出器ブロックと、前記中心位置より外側に向かって前記第１の距離から前記第２の距離までのデータ出力列数を構成する検出器ブロックと、前記中心位置より外側に向かって前記第２の距離から前記第３の距離までのデータ出力列数を構成する検出器ブロックとを、異なる３種類の多列型Ｘ線検出器ブロックを組み合わせて構成したものである請求項３に記載のＸ線ＣＴ装置。
【発明の詳細な説明】
【技術分野】
【０００１】
本発明は、Ｘ線ＣＴ装置に係り、特にＸ線管球およびそれに対向して位置される多列型Ｘ線検出器を搭載し一回転で複数断面の計測データを得ることができる多列型Ｘ線ＣＴ装置に関する。
【背景技術】
【０００２】
近年のＸ線を使用して被検体の断層撮影を行うマルチスライス式のＸ線ＣＴ装置にあっては、被検体の体軸を中心に回転する回転盤を有しており、この回転盤に被検体を挟んで対向するようにＸ線管球と多列型Ｘ線検出器が配置されている。
【０００３】
また、Ｘ線管球から被検体に照射され、この被検体を透過したＸ線は、多列型Ｘ線検出器によって検出される。この多列型Ｘ線検出器は、入力されるＸ線を検出し、検出されたＸ線を電気信号に変換するもので、検出されたＸ線強度に応じた多列（例えば、６４列）分の電気信号（デジタル画像データ）を、順次画像処理手段へ出力するようになっている。
【０００４】
画像処理手段は、Ｘ線検出器から出力された電気信号（デジタル画像データ）を入力し、この入力されたデジタル画像データを演算処理して画像を再構成し、被検体の断層画像として記録し、表示手段に断層画像を表示するように構成されている。
【０００５】
このような構成のマルチスライス式のＸ線ＣＴ装置の多列型Ｘ線検出器にあっては、従来、複数の検出チャンネルを有する検出素子列をスライス方向に複数列（例えば、６列）配した２次元検出器が用いられている（例えば、特許文献１参照。）。
【０００６】
そして、特許文献１は、マルチスライス検出器（多列型Ｘ線検出器）の検出素子列数は６列で、スライス方向に沿った関心画像及びスライス厚を指定して調整ができるようになっている。関心画像の指定を行い、関心画像の位置をスライス方向に沿って全体的に横に１列分だけ移動するようになっている。この関心画像の指定結果に基づいて、コリメータ２２の開口幅を制御している。
【０００７】
マルチスライス検出器上に存在するＸ線検出素子の大きさ（体軸方向の長さ）や、Ｘ線管球から多列型Ｘ線検出器ユニットまでの距離によって、計測スライス厚が決まる。
【０００８】
近年のＸ線ＣＴ装置においては、計測スライス厚が０．５ｍｍ、０．６ｍｍ、０．６２５ｍｍ、１．０ｍｍ、１．２５ｍｍなどのように１．０ｍｍ前後の値となっていることが一般的である。また、体軸方向撮像可能範囲は、一度に計測可能な範囲で、これは計測スライス厚に体軸方向データ出力列数を乗算したものに等しくなり、例えば、計測スライス厚が０．６２５ｍｍである３２列マルチスライス検出器を搭載したＸ線ＣＴ装置の体軸方向撮像可能範囲は、０．６２５ｍｍ×３２列 = ２０ｍｍとなる。
【特許文献１】特開２０００−２０１９１９号公報
【発明の開示】
【発明が解決しようとする課題】
【０００９】
特許文献１の多列Ｘ線ＣＴ装置に搭載されているマルチスライス検出器（多列型Ｘ線検出器ユニット）は、全てのチャネルにおいて一回転あたりに出力される体軸方向データ出力列数は同数となるよう、同一出力列数である多列型Ｘ線検出器ブロックで全視野をカバーするように配置されている。
【００１０】
このようなＸ線ＣＴ装置においては、近年、一層の多列化が進み３２列、６４列Ｘ線ＣＴ装置やそれ以上の多列Ｘ線ＣＴ装置が医療施設にて稼動している状況である。このような多列化の進化の状況は、画像診断分野に大きなメリットをもたらしているが、その一方でそれらの装置は、高額となり、一般の医療施設に広く浸透しがたい原因となっているのが現状である。
【００１１】
特許文献１の多列Ｘ線ＣＴ装置においては、例えば、３２列や６４列のマルチスライス検出器を搭載した場合に、特に、心臓領域でその威力を発揮する。しかし、１６列のマルチスライス検出器を搭載した多列Ｘ線ＣＴ装置においては、心臓領域を除いた全身用のＸ線ＣＴ装置としての性能は、劣るものとはなっていない。
【００１２】
したがって、特許文献１のマルチスライス検出器（多列型Ｘ線検出器）は、スライス方向に沿った関心画像及びスライス厚を指定して調整ができるようになっている。また、最大の検出素子列数は６列から、減少させたスライス厚を指定することができるようになっていると。３２列や６４列のマルチスライス検出器を搭載した場合には、従来のＸ線ＣＴ装置と検出素子の配列の粗密は、変わりはない。
【００１３】
本発明の目的は、大幅な性能の低下を来すことがなく、安価な多列型Ｘ線ＣＴ装置を提供しようというものである。
【課題を解決するための手段】
【００１４】
上記課題を解決するため本発明は、中央に開口部を有し被検体を中心に回転する回転盤と、回転盤に設置され被検体へ向けてＸ線を照射するＸ線管球と、被検体を挟んでＸ線管球と対向するように回転盤に設置され被検体を透過したＸ線を検出する多チャネル型かつ多列型のＸ線検出器ユニットとを備え、回転盤を回転しながら多列型Ｘ線検出器ユニットからの出力信号を取り出すことのできる回転ユニットと、回転盤中央の開口部に設置し、被検体を載置する寝台ユニットと、寝台ユニットに搭載した被検体の全周方向にＸ線管球からＸ線を照射して計測されるＸ線投影データに基づいて被検体の断層像を作成して断層像を画像表示装置に表示するＸ線ＣＴ装置において，
多列型Ｘ線検出器ユニットを構成する多列型Ｘ線検出器ブロックの体軸方向データ出力列の数を、多列型Ｘ線検出器ユニットの中心位置より外側に向かって所定距離のデータ出力列数を密に、中心位置より外側に向かって所定距離から外側に位置するデータ出力列数を粗に構成したことを特徴とする。
【発明の効果】
【００１５】
本発明によれば、大幅なパフォーマンスの低下をすることなく安価な多列型Ｘ線ＣＴ装置を提供することができる。
【００１６】
より具体的には、
（１）関心視野のサイズに応じて異なる体軸方向データ出力列数となるＸ線検出器ユニットを搭載することで、性能を大幅に低下させることなく価格を抑えた多列型Ｘ線ＣＴ装置を医療施設に提供する。
【００１７】
（２）関心視野のサイズに応じて異なる体軸方向撮像可能範囲を持つ多列型Ｘ線検出器ユニットを搭載することで、循環器領域などの多列ＣＴ装置のメリットが大きい関心視野のみでは高い性能を発揮する多列型Ｘ線ＣＴ装置を医療施設に提供する。
【発明を実施するための最良の形態】
【００１８】
本発明に係る多列型のＸ線ＣＴ装置においては、心臓の検査に必要なＦＯＶ範囲（Ｘ線撮影を行う範囲である有効視野範囲）だけに３２列Ｘ線検出器を搭載し、ＦＯＶ範囲よりも外側に位置する範囲（心臓領域以外の領域）には、１６列のマルチスライス検出器（Ｘ線検出器）を搭載することによって、全身用Ｘ線ＣＴ装置としては、十分な性能を保持したＸ線ＣＴ装置を全てのチャネルに３２列のマルチスライス検出器（Ｘ線検出器）を搭載するＸ線ＣＴ装置の価格より安価に提供するものである。
【００１９】
すなわち、本発明に係る多列型のＸ線ＣＴ装置は、多列型Ｘ線検出器ユニットを構成する多列型Ｘ線検出器ブロックの体軸方向データ出力列の数が多列型Ｘ線検出器ユニットの中心位置より外側に向かって所定距離のデータ出力列数を密で、中心位置より外側に向かって所定距離から外側に位置するデータ出力列数を粗の異なる多列型Ｘ線検出器ブロックを同一の多列型Ｘ線検出器ユニット内に配置し、例えば、３２列や６４列など価格の高い多列型Ｘ線検出器ブロックの個数を減らし、１６列や８列のＸ線ＣＴ装置としては５００ｍｍやそれ以上の広い視野をカバーしようとすることで、価格を抑えた多列型Ｘ線ＣＴ装置を実現するものである。
【００２０】
以下、本発明の実施例について説明する。なお、本発明は実施例に限定されるものではない。
【実施例１】
【００２１】
図１には、本発明に係るＸ線ＣＴ装置のユニット構成が示されている。
【００２２】
図１において、Ｘ線ＣＴ装置の主要部を構成するガントリを備え、このガントリは、中央部に円形の開口部を有しており、この開口部の中心部には、被検者８を寝かせるための寝台ユニット天板９が設置されている。
【００２３】
寝台ユニット天板９は、図示しない水平移動手段及び上下移動手段によって、被検者８の体軸方向及び上下方向への移動が自在となっている。
【００２４】
ガントリ内には、被検者８を中心に回転する回転ユニット１０が設けられている。この回転ユニット１０には、上部にＸ線管球１が、下部に多列型Ｘ線検出器ユニット２が被検者８を挟んで対向するように配置されている。
【００２５】
回転体ユニット１０の被検者８を挟んだ上部に配置されているＸ線管球１には、管の内部に陰極と、回転可能に構成された傘形の陽極とが設けられている。このＸ線管球１は、管の内部の陰極から放出された電子ビームが陽極に衝突することにより、陽極から円錐状のＸ線を被検者８に向けて発生するようになっている。
【００２６】
そして、この陽極から発生したＸ線は、Ｘ線管球１の近傍に設けられたコリメータによって、扇状のＸ線ビームにコリメートされて、被検者８に照射される。
【００２７】
回転ユニット１０の被検者８を挟んだ下部に配置されている多列型Ｘ線検出器ユニット２は、図２に示す如く、Ｘ線管球１の焦点を中心として円弧状に形成されている。この多列型Ｘ線検出器ユニット２は、Ｘ線管球１から照射されるＸ線ビームの受光面に、被検者８の体軸方向（図１の表面から裏面に突き抜ける方向）に直交するチャンネル方向に、多数のＸ線検出素子群（図示せず）が配列されている。
【００２８】
さらに、この多列型Ｘ線検出器ユニット２のＸ線ビームの受光面に配列されたＸ線検出素子群は、被検者８の体軸方向（スライス方向）へ複数列配列された構造となっている。この多列型Ｘ線検出器ユニット２は全てのチャネルにて体軸方向分割数すなわち体軸方向データ出力列数は同数であり、図２に図示のように、例えば、４列Ｘ線検出器ユニットの場合は、全てのチャネルで体軸方向に４列分のデータを出力するようになっている。
【００２９】
このようにしてＸ線管球１の陽極から円錐状に被検者８に照射されたＸ線ビームは、被検者８を透過し、多列型Ｘ線検出器ユニット２によって検出される。
【００３０】
また、回転ユニット１０には、多列型Ｘ線検出器ユニット２によって検出された被検者８を透過したＸ線に基づいく複数断面の投影データを増幅するプリアンプ３が設けられている。
【００３１】
このプリアンプ３には、データ転送回路１３が接続されており、このデータ転送回路１３には、画像処理装置１２が接続されている。そして、多列型Ｘ線検出器ユニット２で検出された被検者８を透過したＸ線に基づいく複数断面の投影データは、このデータ転送回路１３によって、画像処理装置１２に送出される。
【００３２】
すなわち、Ｘ線管球１の陽極から円錐状に被検者８に照射されたＸ線ビームは、被検者８を透過し、多列型Ｘ線検出器ユニット２によって検出され、この多列型Ｘ線検出器ユニット２において、被検者８を透過してきたＸ線の強度に応じて電気信号に変換して、プリアンプ３によって増幅してデジタル画像データとして画像処理装置１２に出力する。
【００３３】
画像処理装置１２は、ＣＰＵと、前処理ユニット、再構成ユニット、及び後処理ユニットを含む演算処理装置と、画像処理装置１２等の制御プログラムを格納する主メモリと、投影データや画像処理プログラム等を格納する磁気ディスクと、コントローラと、画像表示装置１１に表示させる画像データを一次的に格納する表示メモリと、プリアンプ３から投影データを取得する入出力インターフェースと、を備えている。
【００３４】
この画像処理装置１２においては、多列型Ｘ線検出器ユニット２からプリアンプ３を介してから送信されてきたデジタル画像データに基づき、各種補正処理、逆投影演算をすることで被検者８の断層画像を構成するようになっている。
【００３５】
多列型Ｘ線検出器ユニット２は、多数のＸ線検出素子群を扇形に配置して構成している。そして、回転ユニット１０の中心部における計測データの厚さ、すなわち計測スライス厚は、この多列型Ｘ線検出器ユニット２上に存在するＸ線検出素子の大きさ（体軸方向の長さ、第３図に示す計測厚さ）や、Ｘ線管球１から多列型Ｘ線検出器ユニット２までの距離によって決定され、近年のＸ線ＣＴ装置では０．５ｍｍ、０．６ｍｍ、０．６２５ｍｍ、１．０ｍｍ、１．２５ｍｍなどのように１．０ｍｍ前後の値となっている。
【００３６】
図１中、４は回転盤部駆動装置で、回転ユニット１０の回転盤部の回転の駆動するものである。また、図１中、５はＸ線制御装置で、線管球１の陽極から円錐状に被検者に照射するＸ線ビームを制御するものである。また、図１中、６は回転ユニット制御装置で、回転ユニット１０を制御するためのものである。さらに、図１中、７は操作コンソールで、データ転送回路１３から送信されてくる多列型Ｘ線検出器ユニット２で検出された被検者８を透過したＸ線に基づいく複数断面の投影データを、画像処理装置１２において各種補正処理、逆投影演算をすることで被検者８の断層画像を構成し、ＣＲＴ装置や液晶ディスプレイ装置等により構成する画像表示装置１１に表示させる制御を行うものである。
【００３７】
図３には、多列型Ｘ線ＣＴ装置に搭載される多列型Ｘ線検出器ユニット２の第１の実施例が示されている。図３は、図１に図示の多列型Ｘ線検出器ユニット２のユニット構成の模式図である。
【００３８】
図３において、多列型Ｘ線ＣＴ装置に搭載される多列型Ｘ線検出器ユニット２は、多列型Ｘ線検出器ブロック１４で構成されている。この多列型Ｘ線検出器ブロック１４は、関心視野Ａをカバーする範囲の多列型Ｘ線検出器ブロック１４Ａと、関心視野Ｂをカバーする範囲の多列型Ｘ線検出器ブロック１４Ｂとによって構成される。
【００３９】
この関心視野Ａをカバーする範囲の多列型Ｘ線検出器ブロック１４Ａは、周辺部よりも体軸方向データ出力列数が多い多列型Ｘ線検出器ブロック１４を配置し（検出器エリアＡ）、関心視野Ｂをカバーするための残りの多列型Ｘ線検出器ブロック１４Ｂは、関心視野Ａのそれよりも体軸方向データ出力列数が少ない多列型Ｘ線検出器ブロック１４を配置し（検出器エリアＢ）ている。
【００４０】
このように多列型Ｘ線検出器ユニット２全体は、体軸方向データ出力列数を異なって検出する多列型Ｘ線検出器ブロック１４を配置して構成している。
【００４１】
このように、本実施例における多列型Ｘ線検出器ユニット２を構成する多列型Ｘ線検出器ブロック１４の体軸方向データ出力列の数は、多列型Ｘ線検出器ユニット２の中心位置より外側に向かって所定距離のデータ出力列数を密に、中心位置より外側に向かって所定距離から外側に位置するデータ出力列数を粗に構成してある。
【００４２】
すなわち、関心視野Ａをカバーする範囲の多列型Ｘ線検出器ブロック１４Ａは、例えば、６４列とすると、関心視野Ｂをカバーする範囲の多列型Ｘ線検出器ブロック１４Ｂを、多列型Ｘ線検出器ブロック１４Ａの体軸方向データ出力列の数よりも小さい、例えば、３２列、又は，１６列とする。
【００４３】
また、関心視野Ａをカバーする範囲の多列型Ｘ線検出器ブロック１４Ａは、例えば、３２列とすると、関心視野Ｂをカバーする範囲の多列型Ｘ線検出器ブロック１４Ｂを、多列型Ｘ線検出器ブロック１４Ａはの体軸方向データ出力列の数よりも小さい、例えば、１６列、又は，８列とする。
【００４４】
本実施例の多列型Ｘ線検出器ユニット２を構成する多列型Ｘ線検出器ブロック１４の関心視野Ａをカバーする範囲の多列型Ｘ線検出器ブロック１４Ａは、心臓領域、頭部領域、小児など関心視野Ａで撮影可能な大きさの被写体は関心視野Ａ内の検出器エリアＡでスキャンを行う。そして、本実施例の多列型Ｘ線検出器ユニット２を構成する多列型Ｘ線検出器ブロック１４の関心視野Ｂをカバーする範囲の多列型Ｘ線検出器ブロック１４Ｂは、成人頭部など関心視野Ａより大きい被写体は、関心視野Ｂ全体で、検出器エリアＢも含めた多列型Ｘ線検出器ユニット２全体でスキャンを行う。
【００４５】
ここで、検出器エリアＡが体軸方向データ列数３２列、検出器エリアＢが体軸方向データ列数１６列とした場合を例に採ってみる。検出器エリアＡと検出器エリアＢの境界付近を拡大した模式図は、図４に示す如き構成となる。なお、図４においては、作図の便宜上、検出器エリアＡを８列、検出器エリアＢを４列で示してある。
【００４６】
図４において、ｎ番のチャネルは、検出器エリアＡの左端のチャネルであり、ｎ番のチャネルのデータは、体軸方向３２列（作図上は、８列）のデータ出力が存在する。また、ｎ−１番のチャネルは、検出器エリアＢの右端のチャネルであり、ｎ−１番のチャネルのデータは、体軸方向１６列（作図上は、４列）のデータ出力が存在する。
【００４７】
この多列型Ｘ線検出器ユニット２の中心位置より外側に向かって形成されるデータ出力列数の密粗は，多列型Ｘ線検出器ユニット２の中心位置より外側に向かって所定距離のデータ出力列数を構成する検出器ブロックＡと、中心位置より外側に向かって所定距離から外側に位置するデータ出力列数を構成する検出器ブロックＢとを、異なる２種類の多列型Ｘ線検出器ブロック１４を組み合わせて構成してもよい。
【実施例２】
【００４８】
図５には、多列型Ｘ線ＣＴ装置に搭載される多列型Ｘ線検出器ユニット２の第２の実施例が示されている。図５は、図１に図示の多列型Ｘ線検出器ユニット２のユニット構成の模式図である。
【００４９】
本実施例が、図３に図示第１実施例と異なる点は、図３に図示第１実施例が、２つの関心視野（関心視野Ａ，関心視野Ｂ）をカバーする範囲の多列型Ｘ線検出器ブロック１４であるのに対し、本実施例が、３つの関心視野（関心視野Ｃ，関心視野Ｄ，関心視野Ｅ）をカバーする範囲の多列型Ｘ線検出器ブロック１４である点である。
【００５０】
図５において、多列型Ｘ線ＣＴ装置に搭載される多列型Ｘ線検出器ユニット２は、多列型Ｘ線検出器ブロック１４で構成されている。この多列型Ｘ線検出器ブロック１４は、関心視野Ｃをカバーする範囲の多列型Ｘ線検出器ブロック１４Ｃと、関心視野Ｄをカバーする範囲の多列型Ｘ線検出器ブロック１４Ｄと、関心視野Ｅをカバーする範囲の多列型Ｘ線検出器ブロック１４Ｅとによって構成される。
【００５１】
この関心視野Ｃをカバーする範囲の多列型Ｘ線検出器ブロック１４Ｃは、周辺部よりも体軸方向データ出力列数が多い多列型Ｘ線検出器ブロック１４を配置し（検出器エリアＣ）、関心視野Ｄをカバーするための残りの多列型Ｘ線検出器ブロック１４Ｄは、関心視野Ｃのそれよりも体軸方向データ出力列数が少ない多列型Ｘ線検出器ブロック１４を配置し（検出器エリアＤ）、関心視野Ｅをカバーするための残りの多列型Ｘ線検出器ブロック１４Ｅは、関心視野Ｃのそれよりも体軸方向データ出力列数が少ない多列型Ｘ線検出器ブロック１４を配置し（検出器エリアＥ）ている。
【００５２】
このように多列型Ｘ線検出器ユニット２全体は、体軸方向データ出力列数を異なって検出する多列型Ｘ線検出器ブロック１４を配置して構成している。
【００５３】
このように、多列型Ｘ線検出器ユニット２を構成する多列型Ｘ線検出器ブロック１４の体軸方向データ出力列の数は、前記多列型Ｘ線検出器ユニットの中心位置より外側に向かって第１の距離までのデータ出力列数を第１の列数に、前記中心位置より外側に向かって第１の距離から第２の距離までの位置のデータ出力列数を第２の列数に、前記中心位置より外側に向かって第２の距離から第３の距離までの位置のデータ出力列数を第３の列数にし、前記第１の列数と、前記第２の列数と、前記第３の列数との関係が
第１の列数  ＞  第２の列数  ＞  第３の列数
となるように構成してある。
【００５４】
すなわち、関心視野Ｃをカバーする範囲の多列型Ｘ線検出器ブロック１４Ｃは、例えば、６４列とすると、関心視野Ｄをカバーする範囲の多列型Ｘ線検出器ブロック１４Ｄを、多列型Ｘ線検出器ブロック１４Ｃの体軸方向データ出力列の数よりも小さい、例えば、３２列とし、関心視野Ｅをカバーする範囲の多列型Ｘ線検出器ブロック１４Ｅを、多列型Ｘ線検出器ブロック１４Ｄの体軸方向データ出力列の数よりも小さい、例えば、１６列、又は、８列とする。
【００５５】
また、関心視野Ｃをカバーする範囲の多列型Ｘ線検出器ブロック１４Ｃは、例えば、３２列とすると、関心視野Ｄをカバーする範囲の多列型Ｘ線検出器ブロック１４Ｄを、多列型Ｘ線検出器ブロック１４Ｃの体軸方向データ出力列の数よりも小さい、例えば、１６列とし、関心視野Ｅをカバーする範囲の多列型Ｘ線検出器ブロック１４Ｅを、多列型Ｘ線検出器ブロック１４Ｄの体軸方向データ出力列の数よりも小さい、例えば、８列とする。
【００５６】
本実施例の多列型Ｘ線検出器ユニット２を構成する多列型Ｘ線検出器ブロック１４の関心視野Ｃをカバーする範囲の多列型Ｘ線検出器ブロック１４Ｃは、心臓領域、頭部領域、小児など関心視野Ｃで撮影可能な大きさの被写体は、関心視野Ｃ内の検出器エリアＣでスキャンを行う。
【００５７】
そして、多列型Ｘ線検出器ブロック１４の関心視野Ｄをカバーする範囲の多列型Ｘ線検出器ブロック１４Ｄは、成人頭部など関心視野Ｃより大きい被写体は、関心視野Ｄ内の検出器エリアＤでスキャンを行う。
【００５８】
さらに、多列型Ｘ線検出器ブロック１４の関心視野Ｅをカバーする範囲の多列型Ｘ線検出器ブロック１４Ｅは、成人胸部など関心視野Ｄより大きい被写体は、関心視野Ｃ，Ｄ全体で、検出器エリアＣ，Ｄも含めた多列型Ｘ線検出器ユニット２全体でスキャンを行う。
【００５９】
ここで、検出器エリアＣが体軸方向データ列数６４列、検出器エリアＤが体軸方向データ列数３２列、検出器エリアＥが体軸方向データ列数１６列とした場合を例に採ってみる。検出器エリアＣと検出器エリアＤと検出器エリアＥの境界付近を拡大した模式図は、図６に示す如き構成となる。
【００６０】
なお、図６においては、作図の便宜上、検出器エリアＣを８列、検出器エリアＤを４列、検出器エリアＥを２列で示してある。
【００６１】
図６において、ｎ番のチャネルは、検出器エリアＣの左端のチャネルであり、ｎ番のチャネルのデータは、体軸方向６４列（作図上は、８列）のデータ出力が存在する。また、ｎ−１番のチャネルは、検出器エリアＤの右端のチャネルであり、ｎ−１番のチャネルのデータは、体軸方向３２列（作図上は、４列）のデータ出力が存在する。
【００６２】
さらに、Ｎ番のチャネルは、検出器エリアＤの左端のチャネルであり、Ｎ番のチャネルのデータは、体軸方向３２列（作図上は、４列）のデータ出力が存在する。Ｎ−１番のチャネルは、検出器エリアＥの右端のチャネルであり、Ｎ−１番のチャネルのデータは、体軸方向１６列（作図上は、２列）のデータ出力が存在する。
【００６３】
この多列型Ｘ線検出器ユニット２の中心位置より外側に向かって形成されるデータ出力列数の第１の列数（検出器エリアＣ）と、第２の列数（検出器エリアＤ）と、第３の列数（検出器エリアＥ）とは，多列型Ｘ線検出器ユニット２の中心位置より外側に向かって第１の距離のデータ出力列数を構成する検出器ブロックＣと、中心位置より外側に向かって前記第１の距離から第２の距離までのデータ出力列数を構成する検出器ブロックＤと、中心位置より外側に向かって第２の距離から第３の距離までのデータ出力列数を構成する検出器ブロックＥとを、異なる３種類の多列型Ｘ線検出器ブロックを組み合わせて構成してもよい。
【図面の簡単な説明】
【００６４】
【図１】本発明に係るＸ線ＣＴ装置のユニット構成図である。
【図２】図１に図示のＸ線ＣＴ装置のＸ線検出器ユニットの対軸方向撮像範囲と対軸方向データ出力列数の関係を示す図である。
【図３】図１に図示のＸ線ＣＴ装置に搭載される多列型Ｘ線検出器ユニットの第１の実施例を示す斜視図である。
【図４】図３に図示のＸ線ＣＴ装置に搭載される多列型Ｘ線検出器ユニットの多列型Ｘ線検出器ブロックの構成図である。
【図５】図１に図示のＸ線ＣＴ装置に搭載される多列型Ｘ線検出器ユニットの第２の実施例を示す斜視図である。
【図６】図５に図示のＸ線ＣＴ装置に搭載される多列型Ｘ線検出器ユニットの多列型Ｘ線検出器ブロックの構成図である。
【符号の説明】
【００６５】
１……………………………Ｘ線管球
２……………………………多列型Ｘ線検出器ユニット
３……………………………プリアンプ
４……………………………回転盤部駆動装置
５……………………………Ｘ線制御装置
６……………………………回転ユニット制御装置
７……………………………操作コンソール
８……………………………被検者
９……………………………寝台ユニット天板
１０…………………………回転ユニット
１１…………………………画像表示装置
１２…………………………画像処理装置
１３…………………………データ転送回路
１４…………………………多列型Ｘ線検出器ブロック
１４Ａ………………………多列型Ｘ線検出器ブロック
１４Ｂ………………………多列型Ｘ線検出器ブロック
１４Ｃ………………………多列型Ｘ線検出器ブロック
１４Ｄ………………………多列型Ｘ線検出器ブロック
１４Ｅ………………………多列型Ｘ線検出器ブロック
【図１】
2009089867.tif 000003
【図２】
2009089867.tif 000004
【図３】
2009089867.tif 000005
【図４】
2009089867.tif 000006
【図５】
2009089867.tif 000007
【図６】
2009089867.tif 000008